(57)【要約】【課題】本発明は、容易な操作によって所望の番組を正確に確認することが可能な放送受信装置を提供することを目的とする。【解決手段】本発明による放送受信装置は、放送信号を受信する放送信号受信部１０１と、放送信号から抽出された番組情報を蓄積する不揮発性メモリ部１０６と、ユーザーの操作による操作信号を受け付ける操作受付部１０７と、操作受付部１０７からの指示に従って、不揮発性メモリ部１０６にて蓄積されている全ての番組情報に対して表示の可否および表示の優先順位を決定し、番組情報表示リストを生成する番組情報表示部１０８と、番組情報表示リストの順序に従って、番組情報に基づく番組情報表示画面を番組映像に重畳させて表示画面に表示させる出力部１０４とを備え、出力部１０４は、番組情報表示画面を表示画面周辺の所定の位置に表示させることを特徴とする。【選択図】図１
2010147640.tif 000002
【特許請求の範囲】
【請求項１】
放送信号を受信する受信手段と、
前記放送信号から抽出された番組情報を蓄積する蓄積手段と、
ユーザーの操作による操作信号を受け付けるユーザー操作受付手段と、
前記ユーザー操作受付手段からの指示に従って、前記蓄積手段にて蓄積されている全ての前記番組情報に対して表示の可否および表示の優先順位を決定し、番組情報表示リストを生成する番組情報表示リスト生成手段と、
前記番組情報表示リストの順序に従って、前記番組情報に基づく番組情報表示画面を番組映像に重畳させて表示画面に表示させる番組情報表示手段と、
を備え、
前記番組情報表示手段は、前記番組情報表示画面を前記表示画面周辺の所定の位置に表示させることを特徴とする、放送受信装置。
【請求項２】
番組の予約登録を行う番組予約登録手段をさらに備え、
前記番組予約登録手段は、前記ユーザー操作受付手段からの指示によって前記番組情報表示画面に表示中の前記番組の予約登録を行うことを特徴とする、請求項１に記載の放送受信装置。
【請求項３】
前記番組情報表示手段は、所定の時間ごとに、前記番組情報表示リストの順序に従って前記番組情報表示画面を更新して前記表示画面に表示させることを特徴とする、請求項１または請求項２に記載の放送受信装置。
【請求項４】
前記番組情報表示手段は、前記ユーザー操作受付手段からの指示に従って、前記番組情報表示リストの順序における現表示中の前記番組情報表示画面の前後の前記番組情報表示画面を前記表示画面に表示させることを特徴とする、請求項１ないし請求項３のいずれかに記載の放送受信装置。
【請求項５】
前記番組情報表示リスト生成手段は、前記番組情報表示画面に表示した前記番組情報を新たに生成する前記番組情報表示リストに含めないことを特徴とする、請求項１ないし請求項４のいずれかに記載の放送受信装置。
【請求項６】
前記番組情報表示リスト生成手段は、前記ユーザー操作受付手段が指定する前記番組情報を前記番組情報表示リストに含めないことを特徴とする、請求項１ないし請求項５のいずれかに記載の放送受信装置。
【請求項７】
前記番組情報表示リスト生成手段は、前記ユーザー操作受付手段が指定する所定の期間内の前記番組情報のみを前記番組情報表示リストに含めることを特徴とする、請求項１ないし請求項６のいずれかに記載の放送受信装置。
【請求項８】
前記番組情報表示リスト生成手段は、前記番組情報の並びを番組の開始時間が早い順に並べ替えて前記番組情報表示リストを生成することを特徴とする、請求項１ないし請求項７のいずれかに記載の放送受信装置。
【請求項９】
前記番組情報表示リスト生成手段は、前記番組情報の並びをランダムに並べ替えて前記番組情報表示リストを生成することを特徴とする、請求項１ないし請求項８のいずれかに記載の放送受信装置。
【請求項１０】
前記ユーザーの視聴履歴または予約登録情報に基づいて前記ユーザーの嗜好情報を生成する嗜好情報生成手段をさらに備え、
前記番組情報表示リスト生成手段は、前記嗜好情報に基づいて前記ユーザーの嗜好度の高い順に前記番組情報表示リストを生成することを特徴とする、請求項１ないし請求項９のいずれかに記載の放送受信装置。
【請求項１１】
前記ユーザー操作受付手段によって所定のジャンル情報が設定されるジャンル情報設定手段をさらに備え、
前記番組情報表示リスト生成手段は、前記番組情報に含まれるジャンル情報と、前記ユーザー操作受付手段によって設定された前記ジャンル情報とを比較し、一致度が高い順に前記番組情報表示リストを生成することを特徴とする、請求項１ないし請求項１０のいずれかに記載の放送受信装置。
【請求項１２】
前記番組情報表示手段は、前記番組情報表示画面を前記表示画面に表示した後、前記ユーザー操作受付手段による所定の終了指示までの間、前記表示画面上で切換や他の処理を行っているにもかかわらず、前記番組情報表示画面を継続して表示させることを特徴とする、請求項１ないし請求項１１のいずれかに記載の放送受信装置。
【請求項１３】
前記番組情報表示手段は、前記番組情報表示画面を自動的に前記表示画面に表示させる自動表示制御手段をさらに備え、
前記自動表示制御手段は、前記放送受信装置の起動と同時に前記表示画面への前記番組情報表示画面の表示を開始し、前記番組情報表示リストに含まれる全ての前記番組情報についての表示が完了すると自動的に前記番組情報表示画面の表示を終了することを特徴とする、請求項１ないし請求項１２のいずれかに記載の放送受信装置。
【発明の詳細な説明】
【技術分野】
【０００１】
本発明は、デジタル放送信号を受信する放送受信装置に関する。
【背景技術】
【０００２】
デジタル放送が開始されて以来、ＢＳ（Ｂｒｏａｄｃａｓｔｉｎｇ  Ｓａｔｅｌｌｉｔｅ）やＣＳ（Ｃｏｍｍｕｎｉｃａｔｉｏｎ  Ｓａｔｅｌｌｉｔｅ）など複数の放送の受信が可能な共用受信機が一般的になってきており、多チャンネルで放送される膨大な数の番組の中からユーザーが好む番組を探し出す技術が数多くある。
【０００３】
このような技術のうち、最も一般的なものは「番組表」を利用した技術であり、限られた表示領域でより多くの番組情報を見やすく表示するものがある（例えば、特許文献１参照）。
【０００４】
また、他の技術としては「ジャンル検索」を利用した技術があり、ユーザーが興味のあるジャンル情報やキーワードを入力して同様の条件を有する番組を番組情報データベースから検索することによって、条件に合う番組を一覧表示するものがある（例えば、特許文献２参照）。
【０００５】
さらに、他の技術としては「番組推薦」を利用した技術があり、ユーザーの視聴履歴や予約番組の番組情報に基づいたユーザーの嗜好情報を蓄積し、嗜好度の高い番組をリスト表示したり、または番組表上にアイコンを表示することによって目立つようにするものがある（例えば、特許文献３参照）。
【０００６】
【特許文献１】特開２００７−６８０７２号公報
【特許文献２】特開２００６−２１７２１５号公報
【特許文献３】特開２００７−２８２０４２号公報
【発明の開示】
【発明が解決しようとする課題】
【０００７】
特許文献１では、番組をチャンネル単位で時系列に配置すれば全ての番組が表示対象となるため、本来視聴したい番組が表示されないという問題は生じないが、表示対象の全ての番組を確認するためには上下左右方向にカーソルを移動させる必要がある。つまり、例えば、１時間当たりの表示スペースの関係で番組の一覧表示ができないほど放送時間の短い番組は、カーソルを移動しなければ番組名を確認することができない。このように、一見、一通りの番組を確認できるように感じられたとしても実際には非常に多くの操作を必要とするため、全ての番組を確認することは困難になるという問題がある。
【０００８】
また、特許文献２では、ユーザーが一度も視聴したことのない番組についての適当なジャンル情報やキーワードを選択することが困難である。また、番組の内容に合うジャンル情報やキーワードの選択ができたとしても、番組放送の送信側がジャンルコードや番組内容のテキストを正しく設定していなければ検索にヒットしないため、検索の確実性が欠けるという問題がある。
【０００９】
また、特許文献３では、ユーザーが特に入力をする必要もなく簡単に推薦番組を取得することができるが、ユーザーの嗜好情報の収集方法や収集期間、ユーザーの嗜好情報から番組の嗜好度を算出するアルゴリズムの違いなどによって結果が大きく変わってしまうことがある。また、検索過程が完全にブラックボックス化されてしまうため、ユーザーは検索結果が正しいか否かの判断ができずに不安になるという問題がある。
【００１０】
さらに、上記従来の技術では、表示画面内に多くの番組情報を表示することに重点が置かれているため、放送中の番組映像を子画面にしたり完全に排除してしまうことが一般的であるため、番組を視聴中のユーザーに対して上記の機能を実行させにくくしてしまうという問題もある。
【００１１】
本発明は、これらの問題を解決するためになされたもので、容易な操作によって所望の番組を正確に確認することが可能な放送受信装置を提供することを目的とする。
【課題を解決するための手段】
【００１２】
上記の課題を解決するために、本発明による放送受信装置は、放送信号を受信する受信手段と、放送信号から抽出された番組情報を蓄積する蓄積手段と、ユーザーの操作による操作信号を受け付けるユーザー操作受付手段と、ユーザー操作受付手段からの指示に従って、蓄積手段にて蓄積されている全ての番組情報に対して表示の可否および表示の優先順位を決定し、番組情報表示リストを生成する番組情報表示リスト生成手段と、番組情報表示リストの順序に従って、番組情報に基づく番組情報表示画面を番組映像に重畳させて表示画面に表示させる番組情報表示手段とを備え、番組情報表示手段は、番組情報表示画面を表示画面周辺の所定の位置に表示させることを特徴とする。
【発明の効果】
【００１３】
本発明によると、ユーザー操作受付手段からの指示に従って、蓄積手段にて蓄積されている全ての番組情報に対して表示の可否および表示の優先順位を決定し、番組情報表示リストを生成する番組情報表示リスト生成手段と、番組情報表示リストの順序に従って、番組情報に基づく番組情報表示画面を番組映像に重畳させて表示画面に表示させる番組情報表示手段とを備え、番組情報表示手段は、番組情報表示画面を表示画面周辺の所定の位置に表示させるため、容易な操作によって所望の番組を正確に確認することが可能となる。
【発明を実施するための最良の形態】
【００１４】
本発明の実施形態について、図面を用いて以下に説明する。
【００１５】
図１は、本発明の実施形態による放送受信装置のブロック図である。図１に示すように、本実施形態による放送受信装置は、放送電波やインターネットなどから放送信号１１１を受信する放送信号受信部（受信手段）１０１と、分離部１０２と、映像表示部１０３と、番組情報管理部１０５と、放送信号１１１から抽出された番組情報１１７を蓄積する不揮発性メモリ部１０６（蓄積手段）と、ユーザーの操作による操作信号１１８を受け付ける操作受付部１０７（ユーザー操作受付手段）と、操作受付部１０７からの指示に従って、不揮発性メモリ部１０６にて蓄積されている全ての番組情報に対して表示の可否および表示の優先順位を決定し、番組情報表示リストを生成する番組情報表示部１０８（番組情報表示リスト生成手段）と、ユーザー情報管理部１０９と、番組情報表示リストの順序に従って、番組情報に基づく番組情報表示画面を番組映像に重畳させて表示画面に表示させる出力部１０４（番組情報表示手段）とを備え、出力部１０４は、番組情報表示画面を番組映像の視聴の妨げにならないよう表示画面周辺の所定の位置に表示させることを特徴としている。
【００１６】
図２は、本発明の実施形態によるリモートコントローラ（以下、リモコンとする）の概略図である。図２に示すように、本実施形態によるリモコンは、番組情報を表示画面に表示させるときに押下する番組情報キー２０１と、表示画面上のカーソルを移動させる上下左右キー２０２と、決定キー２０３と、戻るキー２０４と、赤キー２０５と、青キー２０６と、チャンネルを切り替える選局キー２０７と、放送受信装置と外部接続されたＤＶＤレコーダーなどから入力された映像に切り替える入力切換キー２０８と、受信装置の設定を変更するメニューキー２０９とを備えて構成される。
【００１７】
まず、本実施形態による受信装置の動作について説明する。
【００１８】
放送信号受信部１０１は、受信した放送信号１１１を放送ストリーム１１２に変換した後に、分離部１０２に出力する。
【００１９】
分離部１０２は、入力した放送ストリーム１１１を映像パケット１１３と番組情報パケット１１５とに分離した後に、映像パケット１１３を映像表示部１０３に、番組情報パケット１１５を番組情報管理部１０５に出力する。
【００２０】
映像表示部１０３は、入力した映像パケット１１３から映像信号１１４を生成した後に、出力部１０４に出力する。
【００２１】
番組情報管理部１０５は、受信した番組情報パケット１１５から番組情報１１７を生成した後に、番組情報書き込み要求とともに不揮発性メモリ部１０６に出力する。
【００２２】
不揮発性メモリ部１０６は、入力された番組情報書き込み要求に従って、番組情報１１７を不揮発性メモリ部１０６が備える不揮発性メモリに書き込む。一方、不揮発性メモリ部１０６は、放送受信装置の起動時から不揮発性メモリに蓄積されている番組情報１１６を順次読み出し、番組情報管理部１０５に出力している。
【００２３】
番組情報管理部１０５では、番組情報パケット１１５から生成した番組情報１１７と、不揮発性メモリ部１０６から入力された番組情報１１６とをマージすることによって、番組情報管理部１０５が備える揮発性メモリ上に番組情報データベースを構築する。
【００２４】
一方、ユーザーがリモコンの番組情報キー２０１を任意のタイミングで押下すると、リモコンから放送受信装置の操作受付部１０７に操作信号１１８が送信される。
【００２５】
操作受付部１０７は、受信した操作信号１１８からリモコンコードを抽出および解析し、解析の結果から番組情報キー２０１が押下されたと判断すると番組情報表示開始要求１１９を番組情報表示部１０８に出力する。
【００２６】
番組情報表示部１０８は、操作受付部１０７から入力された番組情報表示開始要求１１９に従って、番組情報管理部１０５に対して番組情報取得要求１２０を出力し、番組情報管理部１０５が保持している番組情報データベースに基づいて作成された番組情報リスト１２１を取得する。番組情報リスト１２１には、デジタル放送のＳＤＴ（Ｓｅｒｖｉｃｅ  Ｄｅｓｃｒｉｐｔｉｏｎ  Ｔａｂｌｅ）とＥＩＴ（Ｅｖｅｎｔ  Ｉｎｆｏｒｍａｔｉｏｎ  Ｔａｂｌｅ）に記載の内容とを組み合わせた情報が番組単位で格納されている。
【００２７】
また、番組情報表示部１０８は、不揮発性メモリ部１０６から表示済み番組リスト１２２を取得する。表示済み番組リスト１２２は、表示画面（図示せず）に一度表示した番組を特定するための情報をリスト化したものであり、ネットワークＩＤ、トランスポートストリームＩＤ（以下、ＴＳ＿ＩＤとする）、サービスＩＤ、イベントＩＤ、番組タイトル、番組終了日時情報から構成される。
【００２８】
さらに、番組情報表示部１０８は、ユーザー情報管理部１０９からユーザー設定情報１２３を取得する。ユーザー設定情報１２３は、ユーザーがメニュー画面などから予め設定済みの情報であり、番組情報の表示対象から除外するサービス情報（以下、除外サービス情報とする）、番組情報の表示対象とする期間（以下、表示対象期間とする）、ユーザーが興味を持つジャンルの情報（以下、ユーザージャンル情報とする）から構成される。
【００２９】
番組情報表示部１０８は、取得した番組情報リスト１２１、表示済み番組リスト１２２、ユーザー設定情報１２３を用いて、表示画面に表示させる番組情報からなる番組情報表示リストを作成し、番組情報表示部１０８に備える揮発性メモリに保持しておく。そして、作成した番組情報表示リストから順に番組情報を読み出し、番組タイトルおよび番組関連情報をレイアウトした画面表示信号１２４を生成した後に、出力部１０４に出力する。
【００３０】
出力部１０４は、映像表示部１０３から入力された映像信号１１４の上位に番組情報表示部１０８から入力された画面表示信号１２４を重畳した後に、出力信号１２５として表示デバイス（図示せず）に出力する。
【００３１】
番組情報表示部１０８では、表示デバイスの表示画面への表示が完了した番組情報から、ネットワークＩＤ、ＴＳ＿ＩＤ、サービスＩＤ、イベントＩＤ、番組タイトル、番組終了日時を取り出し、表示済み番組リスト１２６に追加して不揮発性メモリ部１０６に出力する。
【００３２】
不揮発性メモリ部１０６では、不揮発性メモリに記録されている表示済み番組リストを検索し、表示済み番組情報が書き込まれていない空き領域、または、表示済み番組情報の放送終了日時が過去となり不要となった表示済み番組情報リスト上に、新規に追加された表示済み番組情報を書き込む。
【００３３】
次に、番組情報表示部１０８における番組情報表示リストの作成について説明する。
【００３４】
図３は、本発明の実施形態による番組情報表示リストの作成処理のフローチャートである。図３に示すように、ユーザーからのリモコン操作（番組情報キー２０１を押下）によって、番組情報表示部１０８に番組情報表示開始要求１１９が入力されると、番組情報表示部１０８は、番組情報管理部１０５から番組情報リスト１２１を取得する（ステップＳ３０１）。番組情報リスト１２１を取得後、不揮発性メモリ部１０６から表示済み番組リスト１２２を取得する（ステップＳ３０２）。表示済み番組リスト１２２を取得後、ユーザー情報管理部１０９からユーザー設定情報１２３を取得する（ステップＳ３０３）。その後、ステップＳ３０１にて取得した番組情報リスト１２１の先頭の番組情報を取り出して、ワークエリアにセットする（ステップＳ３０４）。
【００３５】
次に、ワークエリアにセットされた番組情報から、番組が属するサービスとユーザー設定情報１２３に含まれる除外サービス情報とが一致するか否かの判定を行う（ステップＳ３０５）。判定の結果が「真」の場合は、ユーザーが表示を希望しないサービスの番組であるため番組情報を番組情報表示リストに追加せず、次の番組情報をワークエリアにセットして（ステップＳ３１１）、ステップＳ３０５に戻る。一方、判定の結果が「偽」の場合は、ステップＳ３０６に移行する。すなわち、ステップＳ３０５では、操作受付部１０７が指定する番組情報を番組情報表示リストに含めないようにしている。
【００３６】
ステップＳ３０６では、判定対象番組の開始時間が、ユーザー設定情報１２３に含まれる表示対象期間内であるか否かの判定を行う。判定の結果が「偽」の場合は、ユーザーが表示を希望する期間外の番組であるため、判定対象の番組情報を番組情報表示リストに追加せず、次の番組情報をワークエリアにセットして（ステップＳ３１１）、ステップＳ３０５に戻る。一方、判定の結果が「真」の場合は、ステップＳ３０７に移行する。すなわち、ステップＳ３０６では、操作受付部１０７が指定する所定の期間内の番組情報のみを番組情報表示リストに含めるようにしている。
【００３７】
ステップＳ３０７では、判定対象番組の番組特定情報（ネットワークＩＤ、ＴＳ＿ＩＤ、サービスＩＤ、イベントＩＤ）と表示済み番組リスト１２２中の番組特定情報とが一致するか否かの判定を行う。判定の結果が「真」の場合は、表示画面に既に表示済みの番組情報であるため、判定対象の番組情報を番組情報表示リストに追加せず、次の番組情報をワークエリアにセットして（ステップＳ３１１）、ステップＳ３０５に戻る。一方、判定の結果が「偽」の場合は、ステップＳ３０８に移行する。すなわち、ステップＳ３０７では、番組情報表示画面に表示した番組情報を新たに生成する番組情報表示リストに含めないようにしている。
【００３８】
ステップＳ３０８では、ワークエリアにセットされた判定対象の番組情報のコンテント記述子から、大ジャンル情報（ｃｏｎｔｅｎｔ＿ｎｉｂｂｌｅ＿ｌｅｖｅｌ＿１）および中ジャンル情報（ｃｏｎｔｅｎｔ＿ｎｉｂｂｌｅ＿ｌｅｖｅｌ＿２）を取得する。なお、ジャンル情報は、最大３つまで設定可能である。次に、ユーザー設定情報１２３からユーザージャンル情報を取得し、番組情報に含まれるジャンル情報との比較を行って一致度を点数化する。一致度の算出方法として、例えば、大ジャンルが一致した場合は１点、中ジャンルまで一致した場合は５点というルールに従って点数を加算して一致度を求める。得られたジャンル一致度は、番組情報と関連付けて表示対象リストに登録される（ステップＳ３０９）。すなわち、ステップＳ３０８では、操作受付手段１０７によって所定のジャンル情報が設定されるジャンル情報設定部（ジャンル情報設定手段）（図示せず）をユーザー情報管理部１０９に備え、番組情報表示部１０８は、番組情報に含まれるジャンル情報と、操作受付部１０７によって設定されたジャンル情報とを比較し、一致度が高い順に番組情報表示リストを生成している。
【００３９】
次に、ワークエリアにセットされた番組情報が、番組情報リスト１２１の最後の情報であるか否かの判定を行う（ステップＳ３１０）。判定の結果が「偽」の場合は、判定対象となる番組情報が番組情報リスト１２１の最後の情報ではないため、次の番組情報をワークエリアにセットして（ステップＳ３１１）、ステップＳ３０５に戻る。一方、判定の結果が「真」の場合は、ステップＳ３１２に移行する。ステップＳ３１２では、表示対象リストに登録された番組情報を、ジャンルの一致度の高い順に並べ替える。このとき、ジャンルの一致度が同等の場合は、番組の開始時間の早い方をリストの上位とする。すなわち、番組情報の並びを番組の開始時間が早い順に並べ替えている。以上の処理によって、番組情報表示リストが作成される。
【００４０】
番組情報表示リストの作成後に、表示画面に番組情報を含む番組情報表示画面を表示中に、番組情報管理部１０５が新たな番組情報を受信したときにおける動作について説明する。番組情報管理部１０５は、新規の番組情報を番組情報表示部１０８に出力する。番組情報表示部１０８では、入力された番組情報をワークエリアにセットして図３のステップＳ３０５〜ステップＳ３０８までの処理を行う。処理の結果、番組情報表示リストへの追加が必要であると判定した場合は、判定時点で表示画面上に表示している番組情報の次以降に表示予定の番組情報と表示優先度の判定を行い、判定の結果に従って新規の番組情報を番組情報表示リストに挿入してリストが更新される。以後、更新された番組情報表示リストに基づいて、表示画面に番組情報を含む番組情報表示画面を表示する。
【００４１】
図４は、本発明の実施形態による番組情報表示画面のレイアウト図である。図４に示すように、本実施形態による番組情報表示画面は、番組情報表示エリア４０１、メッセージ表示エリア４０２、操作ガイドエリア４０３とを含んでいる。
【００４２】
番組情報表示エリア４０１では、番組タイトル、放送開始時刻および終了時刻が表示されている。また、上下左右キー２０２を用いて上下にスクロールさせることができ、放送局名、サービス名称、番組内容など、より詳細な情報を確認することが可能である。
【００４３】
メッセージ表示エリア４０２は、通常は常時表示されていない状態（不可視状態）であるが、予約登録の結果を表示する場合や番組のスケジュールが変更になる可能性がある場合などにメッセージを表示させることができる。
【００４４】
操作ガイドエリア４０３では、表示画面に関連するリモコンの操作方法が表示されている。なお、本実施形態では、リモコンの赤キー２０５に録画予約登録を、青キー２０６に視聴予約登録を割り当てている。
【００４５】
なお、図４に示す番組情報表示画面は、半透明色であって、できるだけ映像視聴の妨げにならないように配置されている。
【００４６】
図５は、本発明の実施形態による番組情報表示リストの一例を示す図である。図５に示されるような番組情報表示リストが番組情報表示部１０８にて作成される。以後、図５に示す番組情報表示リストに基づいて表示画面に番組情報表示画面が表示されるものとして説明する。
【００４７】
図６は、本発明の実施形態による番組情報表示画面の番組名更新に関する画面の遷移の一例を示す図である。本実施形態による番組情報表示部１０８は、所定の時間ごとに、番組情報表示リストの順序に従って番組情報表示画面を更新して表示画面に表示させることを特徴とし、また、操作受付部１０７からの指示に従って、番組情報表示リストの順序における現表示中の番組情報表示画面の前後の番組情報表示画面を表示画面に表示させることを特徴としている。図６に示すように、ユーザーがリモコンの番組情報キー２０１を押下すると、番組情報表示リストの最初の番組タイトルが番組情報表示画面として表示画面に表示される（状態６０１）。その後、ユーザーが番組情報表示画面に対して有効な操作を行わない状態が５秒間継続すると、次の番組タイトルが更新して表示される（状態６０２）。また、ユーザーがリモコンの上下左右キー２０２の左キーを押下することによって上記と同様に次の番組タイトルに更新して表示させることができる（状態６０３）。さらに、ユーザーがリモコンの上下左右キー２０２の右キーを押下することによって１つ前の番組タイトルに戻し更新して表示させることができる（状態６０４）。
【００４８】
図７は、本発明の実施形態による番組情報表示画面の予約登録時の画面の遷移の一例を示す図である。本実施形態による放送受信装置は、番組の予約登録を行う番組予約登録部（番組予約登録手段）（図示せず）をさらに備え、操作受付部１０７からの指示によって番組情報表示画面に表示中の番組の予約登録を行うことを特徴としている。図７に示すように、表示画面に番組情報表示画面が表示されている場合において（状態７０１）、ユーザーがリモコンの赤キー２０５を押下すると、録画予約登録可否の判定処理が行われる。判定処理の結果、予約登録可能と判定された場合は予約登録処理が行われ、録画予約に成功した旨の表示が番組情報表示画面のメッセージ表示エリア４０２（図４参照）に表示される（状態７０２）。一方、判定の結果、予約登録不可と判定された場合は、録画予約に失敗した旨の表示がメッセージ表示エリア４０２に表示される（状態７０３）。
【００４９】
図８は、本発明の実施形態による番組情報表示画面と他の機能との関係を表示した画面の遷移の一例を示す図である。一般的な番組情報表示画面は、選局キー２０７や入力切換キー２０８、または他のＯＳＤ（Ｏｎ  Ｓｃｒｅｅｎ  Ｄｉｓｐｌａｙ）開始時に終了することが多い。図８に示すように、番組情報表示画面を表示中に（状態８０１）、選局キー２０７または入力切換キー２０８を押下して選局処理または外部入力への入力切換処理を行ったとしても、番組情報表示画面が継続して表示されている（状態８０２）。従って、録画済み番組やブルーレイディスク、ＤＶＤなどを視聴している場合であっても、番組情報表示画面にて番組情報を確認することが可能となる。また、リモコンのメニューキー２０９を押下して表示画面にメニュー画面を表示した場合においても、番組情報表示画面の表示を終了せず、メニュー画面の上位に番組情報表示画面が重畳して表示される（状態８０３）。このとき、メニュー画面内でカーソル移動などに使用される上下左右キー２０２は、番組情報表示画面では使用不可となり、番組情報表示画面の表示の更新は５秒間経過後による更新に制限される。すなわち、番組情報表示部１０８は、番組情報表示画面を表示画面に表示した後、操作受付部１０７による所定の終了指示までの間、表示画面上で切換や他の処理を行っているにもかかわらず、番組情報表示画面を継続して表示させることが可能となる。
【００５０】
以上のことから、本実施形態による放送受信装置は、テレビ番組本編の視聴中の合い間やコマーシャル中、レコーダーによる録画番組再生中やＤＶＤなどのディスク再生中であっても、複雑な操作を必要とせず、容易に番組のチェックおよび予約登録を行うことが可能となる。また、全ての番組を表示対象に含め、一度確認した番組については次回の画面起動時に表示対象に含めないようにしているため、新番組や特別番組などユーザーが予期していないタイミングで放送される番組を見落とすことがなく確実に確認することが可能となる。すなわち、容易な操作によって所望の番組を正確に確認することが可能となる。
【００５１】
また、本実施形態では、ユーザーがリモコンの番組情報キー２０１を押下したときに番組情報表示画面が表示されるようにしたが、ユーザーが予め設定をしておくことによって、放送受信装置の電源起動時に自動的に番組表示画面を表示させ、表示対象の番組情報がなくなり次第自動的に終了するようにしてもよい。すなわち、番組情報表示部１０８は、番組情報表示画面を自動的に表示画面に表示させる自動表示制御部（自動表示制御手段）（図示せず）をさらに備え、自動表示制御部は、放送受信装置の起動と同時に表示画面への番組情報表示画面の表示を開始し、番組情報表示リストに含まれる全ての番組情報についての表示が完了すると自動的に番組情報表示画面の表示を終了するようにしてもよい。
【００５２】
本実施形態では、ユーザージャンル情報を用いて番組情報表示リストの表示優先順位を決定していたが、ユーザーの視聴履歴または予約登録情報に基づいてユーザーの嗜好情報を生成する嗜好情報生成部（嗜好情報生成手段）（図示せず）をユーザー情報管理部１０９に備え、番組情報表示部１０８は、嗜好情報に基づいてユーザーの嗜好度の高い順に番組情報表示リストを生成するようにしてもよい。また、番組情報の並びをランダムに並べ替えて番組情報表示リストを生成してもよい。
【００５３】
本実施形態による放送受信装置に対して、放送受信装置に音声合成機能を付加して、番組情報表示画面に表示中の番組情報について音声で読み上げるようにしてもよい。
【図面の簡単な説明】
【００５４】
【図１】本発明の実施形態による放送受信装置のブロック図である。
【図２】本発明の実施形態によるリモートコントローラの概略図である。
【図３】本発明の実施形態による番組情報表示リストの作成処理のフローチャートである。
【図４】本発明の実施形態による番組情報表示画面のレイアウト図である。
【図５】本発明の実施形態による番組情報表示リストの一例を示す図である。
【図６】本発明の実施形態による番組情報表示画面の番組名更新に関する画面の遷移の一例を示す図である。
【図７】本発明の実施形態による番組情報表示画面の予約登録時の画面の遷移の一例を示す図である。
【図８】本発明の実施形態による番組情報表示画面と他の機能との関係を表示した画面の遷移の一例を示す図である。
【符号の説明】
【００５５】
１０１  放送信号受信部、１０２  分離部、１０３  映像表示部、１０４  出力部、１０５  番組情報管理部、１０６  不揮発性メモリ部、１０７  操作受付部、１０８  番組情報表示部、１０９  ユーザー情報管理部、１１１  放送信号、１１２  放送ストリーム、１１３  映像パケット、１１４  映像信号、１１５  番組情報パケット、１１６  番組情報、１１７  番組情報、１１８  操作信号、１１９  番組情報表示開始要求、１２０  番組情報取得要求、１２１  番組情報リスト、１２２  表示済み番組リスト、１２３  ユーザー設定情報、１２４  画面表示信号、１２５  出力信号、１２６  表示済み番組リスト、２０１  番組情報キー、２０２  上下左右キー、２０３  決定キー、２０４  戻るキー、２０５  赤キー、２０６  青キー、２０７  選局キー、２０８  入力切換キー、２０９  メニューキー、４０１  番組情報表示エリア、４０２  メッセージ表示エリア、４０３  操作ガイドエリア。
【図１】
2010147640.tif 000003
【図２】
2010147640.tif 000004
【図３】
2010147640.tif 000005
【図４】
2010147640.tif 000006
【図５】
2010147640.tif 000007
【図６】
2010147640.tif 000008
【図７】
2010147640.tif 000009
【図８】
2010147640.tif 000010